(57)【特許請求の範囲】
【請求項１】
遊技盤が取り付けられる前枠と、
前記前枠の前側に開閉可能に配設され、前記遊技盤の遊技領域の前方を覆う透明板を有する前扉と、
を備える遊技機であって、
前記前扉は、前記透明板が取り付けられるベース部と、該ベース部の前面の上側の各角部にそれぞれ配設されＢＧＭを出力する一対のＢＧＭ用スピーカと、前記ベース部の前記透明板の上方の左右方向中央部に配設され音声を出力する音声用スピーカと、前記ＢＧＭ用スピーカから放射される音を通過させる音抜孔及び前記音声用スピーカから放射される音を通過させる音抜孔を有し、前記ＢＧＭ用スピーカ及び前記音声用スピーカの前方の全体を一体的に覆う膨出部が設けられた装飾部と、を有し、
前記装飾部は、前記ベース部の前方を覆う装飾板と、該装飾板の前方を覆う装飾カバーと、を有するとともに、前記装飾板は、前記ＢＧＭ用スピーカを露出させる開口部及び前記音声用スピーカを露出させる開口部を有し、
前記膨出部が、前記装飾カバーに設けられており、
前記ＢＧＭ用スピーカは、それらスピーカから放射される音の中心軸がそれぞれ下方かつ互いに内側を向くように、前記ベース部の上側の各角部に配設され、
前記音声用スピーカは、そのスピーカから放射される音の中心軸が下方を向くように、前記左右方向中央部に配設され、
前記音抜孔は、前記ＢＧＭ用スピーカ及び前記音声用スピーカにより音が放射される方向にのみ設けられていて、
前記膨出部は、前記遊技領域の少なくとも上方及び側方の上部を囲むように設け、
前記装飾板の前記音声用スピーカを露出させる前記開口部と前記ＢＧＭ用スピーカを露出させる前記開口部との間には、前方に向かって突出するリブが設けられており、
前記装飾板は、前記ベース部の上方の左右方向中央部を覆うとともに、前記音声用スピーカを露出させる前記開口部が設けられた上部装飾部材を有し、
前記リブは、前記上部装飾部材に、前記開口部と一体に形成されていることを特徴とする遊技機。
【請求項２】
前記ＢＧＭ用スピーカ及び前記音声用スピーカは、前記ベース部に取り付けられたホルダを介して配設されていることを特徴とする請求項１記載の遊技機。
【発明の詳細な説明】
【技術分野】
【０００１】
本発明は、遊技状態に応じた演出を行う遊技機に関し、特に、音響による演出を効果的に行うことが可能な遊技機に関する。
【背景技術】
【０００２】
一般的に、遊技機としてのパチンコ機では、始動領域への遊技球の通過を契機として特賞状態を生起させるか否かを決定する大当たり抽選が行われ、その抽選結果が図柄表示装置を介して遊技者に報知される。この際、図柄表示装置では、遊技状態に応じて、図柄を変動表示する等の種々の演出が行われる。また、パチンコ機では、図柄表示装置での演出に合わせた各種効果音を出力する等の音響による演出を行うことにより、遊技者の興趣の向上を図っている。
【０００３】
従来、音響による演出を効果的に行うことを目的とする発明として、例えば、特許文献１に係るパチンコ機がある。
特許文献１に係るパチンコ機は、遊技盤の前方を覆うガラス枠の裏面側の上側各角部にそれぞれ配設された一対のスピーカを備えている。そして、各スピーカを、遊技盤の中央部に向けて傾斜状となるように取り付けている。
これにより、特許文献１に係るパチンコ機では、各スピーカから放射される効果音の放射方向を、遊技盤の前方に位置する遊技者に向けている。
【特許文献１】特開平９−５６９０６号公報
【発明の開示】
【発明が解決しようとする課題】
【０００４】
ここで、パチンコ機が設置される各店舗では、隣り合うパチンコ機が互いに接近した状態で、複数のパチンコ機が設置される。
しかしながら、特許文献１に係るパチンコ機では、両スピーカがガラス枠の裏面側に配設されている構成により、各スピーカから放射された効果音が、ガラス枠の前方に放射された時点で周囲に拡散してしまうという問題がある。そして、各スピーカから放射された効果音が周囲に拡散してしまうと、隣り合うパチンコ機の効果音が互いに干渉し合うことで、遊技者に対する音響による演出の効果が低減してしまう。
本発明は上記した従来技術の問題を解決するためになされたものであり、その目的は、各スピーカから放射された効果音が周囲に拡散することを低減することが可能な遊技機を提供することにある。
【課題を解決するための手段】
【０００５】
上記目的を達成するために、本発明の請求項１に係る遊技機は、遊技盤が取り付けられる前枠と、
前記前枠の前側に開閉可能に配設され、前記遊技盤の遊技領域の前方を覆う透明板を有する前扉と、
を備える遊技機であって、
前記前扉は、前記透明板が取り付けられるベース部と、該ベース部の前面の上側の各角部にそれぞれ配設されＢＧＭを出力する一対のＢＧＭ用スピーカと、前記ベース部の前記透明板の上方の左右方向中央部に配設され音声を出力する音声用スピーカと、前記ＢＧＭ用スピーカから放射される音を通過させる音抜孔及び前記音声用スピーカから放射される音を通過させる音抜孔を有し、前記ＢＧＭ用スピーカ及び前記音声用スピーカの前方の全体を一体的に覆う膨出部が設けられた装飾部と、を有し、
前記装飾部は、前記ベース部の前方を覆う装飾板と、該装飾板の前方を覆う装飾カバーと、を有するとともに、前記装飾板は、前記ＢＧＭ用スピーカを露出させる開口部及び前記音声用スピーカを露出させる開口部を有し、
前記膨出部が、前記装飾カバーに設けられており、
前記ＢＧＭ用スピーカは、それらスピーカから放射される音の中心軸がそれぞれ下方かつ互いに内側を向くように、前記ベース部の上側の各角部に配設され、
前記音声用スピーカは、そのスピーカから放射される音の中心軸が下方を向くように、前記左右方向中央部に配設され、
前記音抜孔は、前記ＢＧＭ用スピーカ及び前記音声用スピーカにより音が放射される方向にのみ設けられていて、
前記膨出部は、前記遊技領域の少なくとも上方及び側方の上部を囲むように設け、
前記装飾板の前記音声用スピーカを露出させる前記開口部と前記ＢＧＭ用スピーカを露出させる前記開口部との間には、前方に向かって突出するリブが設けられており、
前記装飾板は、前記ベース部の上方の左右方向中央部を覆うとともに、前記音声用スピーカを露出させる前記開口部が設けられた上部装飾部材を有し、
前記リブは、前記上部装飾部材に、前記開口部と一体に形成されていることを特徴とする。
【０００６】
すなわち、本発明の請求項１に係る遊技機では、スピーカを、スピーカから放射される音の中心軸が透明板側に傾斜するように、ベース部の前面の透明板の周辺部に配設している。また、スピーカから放射される音を通過させる音抜孔を有し、スピーカの前方を覆う膨出部が設けられた装飾部を有している。さらに、スピーカから放射される音を通過させる音抜孔を、膨出部のスピーカにより音が放射される方向にのみ設けている。これにより、本発明の請求項１に係る遊技きでは、スピーカの前方を覆う膨出部により、スピーカから放射される音が遊技盤の周囲に拡散することを低減することが可能となる。したがって、本発明の請求項１に係る遊技機によれば、隣り合うパチンコ機の音が互いに干渉し合うことを防止することができ、遊技者に対する音響による演出の効果の低減を防止することが可能となる。
また、装飾部は、装飾板と装飾カバーとを有し、膨出部が装飾カバーに設けられているため、装飾部の装飾性を向上させることが可能となる。
さらに、ＢＧＭ用スピーカを、それらスピーカから放射される音の中心軸がそれぞれ下方かつ互いに内側を向くように、ベース部の上側の各角部にそれぞれ配設し、音声用スピーカを、そのスピーカから放射される音の中心軸が下方を向くように、左右方向中央部に配設し、これにより、各スピーカから放射される音が、遊技盤の前方に位置する遊技者の頭上に近い位置から遊技者に対して伝達されるため、各スピーカから放射される音による演出を効果的に行うことが可能となる。
また、各スピーカの前方を覆う膨出部を、遊技領域の少なくとも上方及び側方の上部を囲むように設けている。これにより、遊技領域の周囲に設けられた膨出部により、各スピーカから放射される音が遊技盤の周囲に拡散することをさらに低減することが可能となる。
【０００７】
また、本発明の請求項２に係る遊技機は、請求項１に係る遊技機において、前記ＢＧＭ用スピーカ及び前記音声用スピーカは、前記ベース部に取り付けられたホルダを介して配設されていることを特徴とする。
これにより、本発明の請求項２に係る遊技機によれば、ベース部の構成を単純化することができるとともに、両スピーカの設置を容易に行うことが可能となる。
【発明を実施するための最良の形態】
【００１１】
以下、本発明の実施の形態を図面を参照して説明する。
図１は、本発明の実施の形態に係る遊技機を示す斜視図である。図２は、図１に示す遊技機の正面図である。図３は、図１に示す遊技機に備えられる遊技盤の正面図である。図４は、図１に示す遊技機に備えられる前扉のベース部を示す斜視図である。図５は、図４に示すベース部に取り付けられるスピーカホルダ及びスピーカの斜視図である。図６は、図１に示す遊技機に備えられる前扉の装飾部の装飾板を示す斜視図である。図７は、図６に示す装飾板の上部装飾部材を上方からみた斜視図である。図８は、図７に示す上部装飾部材を下方からみた斜視図である。図９は、図１に示す遊技機に備えられる前扉の装飾部の装飾カバーを示す斜視図である。
【００１２】
図１及び図２に示す遊技機１は、矩形状の枠本体１０と、枠本体１０の前側に開閉可能に配設された前枠２０と、前枠２０の前側の上方に開閉可能に配設され、遊技盤５０（図３参照）の透明遊技盤６０の遊技領域６１の前方を覆う透明板７２を有する前扉３０と、前枠２０の前側の下方に配設された受皿ユニット４０とを備えている。
前枠２０は、矩形状に形成され、ヒンジ機構Ｈを介して枠本体１０に蝶着されている。そして、前枠２０の内側には、遊技盤５０（図３参照）が取り付けられる。
【００１３】
遊技盤５０は、図３に示すように、遊技球Ｂが移動する遊技領域６１を有する透明遊技盤６０と、透明遊技盤６０の裏面側に配設された図柄表示装置６６とを備える。
透明遊技盤６０は、透明な合成樹脂により平板状に形成されている。透明遊技盤６０の遊技領域６１には、遊技球Ｂを誘導する複数の遊技釘Ｐが配設されている。そして、透明遊技盤６０の遊技領域６１は、中心部の下方に配設された始動入賞口６３と、始動入賞口６３の下方に配設された大入賞口６５とを備えている。
【００１４】
図柄表示装置６６は、液晶ディスプレイ、ＥＬ（ｅｌｅｃｔｒｏｌｕｍｉｎｅｓｃｅｎｃｅ）ディスプレイ、プラズマディスプレイ又はＣＲＴ（Ｃａｔｈｏｄｅ  Ｒａｙ  Ｔｕｂｅ）ディスプレイにより構成される。図柄表示装置６６は、透明遊技盤６０の遊技領域６１の全域に亘る表示領域６７を有している。すなわち、図柄表示装置６６の表示領域６７と透明遊技盤６０の遊技領域６１とは、正面から見てほぼ一致しており、遊技者は、遊技領域６１を介して表示領域６７を視認することが可能となっている。
【００１５】
遊技機１では、始動入賞口６３への遊技球Ｂの入賞を契機として、特賞状態を生起させるか否かを決定する大当たり抽選を行う。そして、遊技機１では、大当たり抽選の結果を、図柄を用いて図柄表示装置６６の表示領域６７に表示する。この際、図柄表示装置６６の表示領域６７では、大当たり抽選の結果の表示に伴って、図柄を変動表示する等の種々の演出が表示される。そして、図柄表示装置６６の表示領域６７に表示された図柄が大当たり図柄となった際には、大入賞口６３が所定パターンで開閉し、遊技球Ｂを入賞することが可能な状態となる。さらに、大入賞口６３への遊技球Ｂの入賞を検出した際には、入賞した遊技球Ｂの数に応じた賞球が受皿ユニット４０に払い出される。
【００１６】
前扉３０は、矩形状に形成され、ヒンジ機構Ｈを介して枠本体１０に蝶着されている。そして、前扉３０は、透明板７２が取り付けられるベース部７０と、ベース部７０の前面の透明板７２の周辺部に配設された一対のＢＧＭ用スピーカ８０及び一つの音声用スピーカ８１と、ベース部７０の前方を覆う装飾部９０とを有している。
ベース部７０は、図４に示すように、矩形状の板状体により形成されている。ベース部７０の中央部には、透明遊技盤６０の遊技領域６１を外側から視認することが可能な開口部７１が設けられている。そして、ベース部７０の裏面側には、ガラス、透明樹脂等により形成された透明板７２が、開口部７１を塞ぐように取り付けられている。また、ベース部７０の開口部７１の周囲には、電球やＬＥＤなどからなる様々な色彩の大ランプ７３ａ及び小ランプ７３ｂが設けられており、遊技中の演出や機器の状態等とリンクして点灯又は点滅するように構成されている。
【００１７】
各ＢＧＭ用スピーカ８０は、図５に示すように、円形状のコーン部８０ａと、コーン部８０ａの裏面側に配設された駆動部８０ｂと、コーン部８０ａの周囲に設けられたフランジ部８０ｃと、フランジ部８０ｃに設けられた４つのねじ孔８０ｄとを有している。そして、両ＢＧＭ用スピーカ８０は、ベース部７０の前面の上側の各角部にそれぞれ配設されている。各ＢＧＭ用スピーカ８０は、ベース部７０に取り付けられたＢＧＭ用スピーカホルダ８２を介してベース部７０に配設されている。
【００１８】
各ＢＧＭ用スピーカホルダ８２は、図５に示すように、各ＢＧＭ用スピーカ８０を保持する保持孔８２ａを有する保持部８２ｂと、保持部８２ｂを支持する支持部８２ｃとを有している。また、保持部８２ｂの前面には、４つのねじ孔８２ｄが設けられている。
そして、各ＢＧＭ用スピーカ８０は、駆動部８０ｂが各ＢＧＭ用スピーカホルダ８２の保持孔８２ａに挿入され、フランジ部８０ｃの裏面が保持部８２ｂの前面に接触した状態で、フランジ部８０ｃのねじ孔８０ｄ及び保持部８２ｂのねじ孔８２ｄに止め付けねじＮを螺合することにより、各ＢＧＭ用スピーカホルダ８２に固定される。
【００１９】
ここで、各ＢＧＭ用スピーカホルダ８２の保持部８２ｂの前面は、各ＢＧＭ用スピーカホルダ８２がベース部７０の前面の透明板７２の周辺部に取り付けられた状態で、透明板７２側を向くように角度が調整されている。本実施の形態では、各ＢＧＭ用スピーカホルダ８２の保持部８２ｂの前面は、各ＢＧＭ用スピーカホルダ８２がベース部７０の前面の上側の各角部に取り付けられた状態で、下方かつ内側を向くように角度が調整されている。これにより、両ＢＧＭ用スピーカ８０は、両ＢＧＭ用スピーカ８０のコーン部８０ａから放射される音の中心軸がそれぞれ透明板７２側に傾斜するように、ベース部７０の前面の透明板７２の周辺部にそれぞれ配設される。本実施の形態では、両ＢＧＭ用スピーカ８０は、両ＢＧＭ用スピーカ８０のコーン部８０ａから放射される音の中心軸がそれぞれ下方かつ互いに内側を向くように、ベース部７０の前面の各角部にそれぞれ配設される。
【００２０】
音声用スピーカ８１は、図４に示すように、左右方向に延びる楕円形状のコーン部８１ａと、コーン部８１ａの裏面側に配設された駆動部８１ｂと、コーン部８１ａの周囲に設けられたフランジ部８１ｃとを有している。そして、音声用スピーカ８１は、ベース部７０の開口部７１の上方の左右方向中央部に配設されている。音声用スピーカ８１は、ベース部７０に取り付けられた音声用スピーカホルダ８４を介してベース部７０に配設されている。
【００２１】
音声用スピーカホルダ８４は、図４に示すように、音声用スピーカ８１のフランジ部８１ｃを保持する一対の保持部８４ａと、各保持部８４ａをそれぞれ支持する一対の支持部８４ｂとを有している。
そして、音声用スピーカ８１は、フランジ部８０ｃの左右方向の各端部が、音声用スピーカホルダ８４の各保持部８４ａに保持されることにより、音声用スピーカホルダ８４に固定される。また、音声用スピーカ８１は、コーン部８１ａから放射される音の中心軸が下方を向くように、ベース部７０の前面の開口部７１の上方の左右方向中央部に配設される。
【００２２】
装飾部９０は、ベース部７０の前方を覆う装飾板９１と、装飾板９１の前方を覆う装飾カバー９２とを有している。
装飾板９１は、図６に示すように、ベース部７０の上方の左右方向中央部を覆う上部装飾部材９１ａと、ベース部７０の上側の各角部をそれぞれ覆う一対の角部装飾部材９１ｂと、ベース部７０の各側方から下方をそれぞれ覆う一対の側部装飾部材９１ｃとを有している。装飾板９１の前面には、銀色のメッキ塗装が施されている。装飾板９１の中央部には、ベース部７０の開口部７１に対応する開口部９３が設けられている。
【００２３】
図７及び図８に示すように、上部装飾部材９１ａには、前方に向かって膨出し、ベース部７０に取り付けられた音声用スピーカ８１を覆うスピーカ収容部９４が設けられている。そして、スピーカ収容部９４には、音声用スピーカ８１のコーン部８１ａを露出させるスピーカ用開口部９４ａが設けられている。
図６に示すように、各角部装飾部材９１ａには、前方に向かって膨出し、ベース部７０に取り付けられた各ＢＧＭ用スピーカ８０を覆うスピーカ収容部９５が設けられている。そして、各スピーカ収容部９５には、各ＢＧＭ用スピーカ８０のコーン部８０ａを露出させるスピーカ用開口部９５ａが設けられている。
【００２４】
図６に示すように、各側部装飾部材９１ｃには、ベース部７０に設けられた各ランプ７３ａ，７３ｂをそれぞれ露出させる複数のランプ用開口部９６ａが設けられている。また、各側部装飾部材９１ｃの大ランプ７３ａを露出させるランプ用開口部９６ａの内側には、各大ランプ７３ａから照射される光が直接遊技者に対して当たることを防止するランプ用リブ９６ｂが配設されている。
【００２５】
ここで、装飾板９１のスピーカ用開口部９４ａと各スピーカ用開口部９５ａとの間には、前方に向かって突出するスピーカ用リブ９４ｂが設けられている。本実施の形態では、スピーカ用リブ９４ｂは、上部装飾部材９１ａのスピーカ収容部９４の前側に、スピーカ用開口部９４ａの上方及び側方を囲むように一連に設けられている。なお、スピーカ用リブ９４ｂは、装飾板９１のスピーカ用開口部９４ａと各スピーカ用開口部９５ａとの間に設けられていればよく、スピーカ用開口部９４ａの全周を囲むように一連に設ける構成であっても構わない。また、スピーカ用リブ９４ｂは、スピーカ用開口部９４ａの各側方に独立させて設ける構成であっても構わない。
【００２６】
装飾カバー９２は、図９に示すように、ベース部７０及び装飾板９１の前方を覆うように形成されている。装飾カバー９２は、透明又は半透明の樹脂により形成され、外側から装飾カバー９２の内側に収容されている装飾板９１を視認することができるようになっている。また、装飾カバー９２の中央部には、ベース部７０の開口部７１に対応する開口部９９が設けられている。そして、装飾カバー９２には、前方に向かって膨出する膨出部９７が設けられている。
【００２７】
膨出部９７は、図９に示すように、透明遊技盤６０の遊技領域６１の上方及び側方を囲むように設けられている。また、膨出部９７は、開口部９６の上方及び装飾カバー９２の各角部で前方に膨出する量が最も大きくなっており、各角部から下方にいくにしたがって前方に膨出する量が小さくなっている。そして、膨出部９７は、ベース部７０に取り付けられた両ＢＧＭ用スピーカ８０及び音声用スピーカ８１の前方を覆っている。膨出部９７には、各ＢＧＭ用スピーカ８０のコーン部８０ａ及び音声用スピーカ８１のコーン部８１ａから放射される音を通過させる音抜孔９８が設けられている。ここで、音抜孔９８は、各スピーカ８０，８１のコーン部８０ａ，８１ａにより音が放射される方向にのみ設けられている。なお、本実施の形態では、膨出部９７を、透明遊技盤６０の遊技領域６１の上方及び側方を囲むように設けているが、膨出部９７は、透明遊技盤６０の遊技領域６１の少なくとも上方及び側方の上部に設けられていれば構わない。
【００２８】
次に、遊技機１の作用について説明する。
遊技機１では、始動入賞口６３への遊技球Ｂの入賞を契機として、特賞状態を生起させるか否かを決定する大当たり抽選が行われ、大当たり抽選の結果が種々の演出を伴って図柄表示装置６６の表示領域６７に表示される。
また、遊技機１では、図柄表示装置６６の表示領域６７で表示される演出に合わせて、ＢＧＭ、各種効果音等の音響による演出が、各ＢＧＭ用スピーカ８０及び音声用スピーカ８１を用いて行われる。
ここで、遊技機１では、ＢＧＭを出力するＢＧＭ用スピーカ８０と音声、効果音等を出力する音声用スピーカ８１とを別個に設けている。これにより、ＢＧＭと音声等とが混ざり合うことを防止することができ、遊技者が音声等を聞き取りづらくなることを防止することが可能となる。
【００２９】
また、遊技機１では、装飾板９１の上部装飾部材９１ａのスピーカ収容部９４の前側に、スピーカ用開口部９４ａの周囲を囲むスピーカ用リブ９４ｂが設けられている。これにより、膨出部９７の内側で両ＢＧＭ用スピーカ８０から放射される音と音声用スピーカ８１から放射される音とが干渉することを防止することが可能となる。また、スピーカ用リブ９４ｂを、装飾カバー９２の内側ではなく、装飾板９１に設けることにより、装飾カバー９２を容易に成形することが可能となる。
【００３０】
そして、遊技機１では、両ＢＧＭ用スピーカ８０及び音声用スピーカ８１が、ベース部の前面に取り付けられている。また、両ＢＧＭ用スピーカ８０が、両ＢＧＭ用スピーカ８０のコーン部８０ａから放射される音の中心軸がそれぞれ下方かつ互いに内側を向くように、ベース部７０の各角部にそれぞれ配設されている。さらに、音声用スピーカ８１が、コーン部８１ａから放射される音の中心軸が下方を向くように、ベース部７０の開口部７１の上方の左右方向中央部に配設されている。これにより、各スピーカ８０，８１から放射される音が、遊技機１の透明遊技盤６０の遊技領域６１の前方に位置する遊技者の頭上に近い位置から遊技者に対して伝達されるため、各スピーカ８０，８１から放射される音による演出を効果的に行うことが可能となる。
【００３１】
また、遊技機１では、両ＢＧＭ用スピーカ８０及び音声用スピーカ８１の前方を覆う膨出部９７が、透明遊技盤６０の遊技領域６１の上方及び側方を囲むように設けられている。また、音抜孔９８が、各スピーカ８０，８１のコーン部８０ａ，８１ａにより音が放射される方向にのみ設けられている。これにより、膨出部９７が、各スピーカ８０，８１のコーン部８０ａ，８１ａから放射された音が透明遊技盤６０の遊技領域６１の周囲に拡散することを低減する。したがって、隣り合う遊技機１の音が互いに干渉し合うことを防止することができ、遊技者に対する音響による演出の効果が低減することを防止することが可能となる。
【００３２】
また、遊技機１では、各スピーカ８０，８１が、ホルダ８２，８４を介してベース部７０に配設されている。これにより、ベース部７０の構成を単純化することができるとともに、各スピーカ８０，８１の設置を容易に行うことが可能となる。
さらに、遊技機１では、装飾部９０が、装飾板９１と、装飾板９１の前方を覆う装飾カバー９２とを有している。また、装飾カバー９２が、透明又は半透明の樹脂により形成され、外側から装飾カバー９２の内側に収容されている装飾板９１を視認することができるようになっている。これにより、装飾部９０の装飾性を向上させることが可能となる。
【図面の簡単な説明】
【００３７】
【図１】本発明の実施の形態に係る遊技機を示す斜視図である。
【図２】図１に示す遊技機の正面図である。
【図３】図１に示す遊技機に備えられる遊技盤の正面図である。
【図４】図１に示す遊技機に備えられる前扉のベース部を示す斜視図である。
【図５】図４に示すベース部に取り付けられるスピーカホルダ及びスピーカの斜視図である。
【図６】図１に示す遊技機に備えられる前扉の装飾部の装飾板を示す斜視図である。
【図７】図６に示す装飾板の上部装飾部材を上方からみた斜視図である。
【図８】図７に示す上部装飾部材を下方からみた斜視図である。
【図９】図１に示す遊技機に備えられる前扉の装飾部の装飾カバーを示す斜視図である。
【符号の説明】
【００３８】
１  遊技機
１０  枠本体
２０  前枠
３０  前扉
４０  受皿ユニット
５０  遊技盤
６０  透明遊技盤
６１  遊技領域
Ｈ  ヒンジ機構
Ｂ  遊技球
Ｐ  遊技釘
６３  始動入賞口
６５  大入賞口
６６  図柄表示装置
６７  表示領域
７０  ベース部
７１  開口部
７２  透明板
７３ａ  大ランプ
７３ｂ  小ランプ
８０  ＢＧＭ用スピーカ
８０ａ  コーン部
８０ｂ  駆動部
８０ｃ  フランジ部
８０ｄ  ねじ孔
８１  音声用スピーカ
８１ａ  コーン部
８１ｂ  駆動部
８１ｃ  フランジ部
８２  ＢＧＭ用スピーカホルダ
８２ａ  保持孔
８２ｂ  保持部
８２ｃ  支持部
８２ｄ  ねじ孔
Ｎ  止め付けねじ
８４  音声用スピーカホルダ
８４ａ  保持部
８４ｂ  支持部
９０  装飾部
９１  装飾板
９１ａ  上部装飾部材
９１ｂ  角部装飾部材
９１ｃ  側部装飾部材
９２  装飾カバー
９３  開口部
９４  スピーカ収容部
９４ａ  スピーカ用開口部
９４ｂ  スピーカ用リブ
９５  スピーカ収容部
９５ａ  スピーカ用開口部
９６ａ  ランプ用開口部
９６ｂ  ランプ用リブ
９７  膨出部
９８  音抜孔
９９  開口部
【図１】
0005442946.tif 000002
【図２】
0005442946.tif 000003
【図３】
0005442946.tif 000004
【図４】
0005442946.tif 000005
【図５】
0005442946.tif 000006
【図６】
0005442946.tif 000007
【図７】
0005442946.tif 000008
【図８】
0005442946.tif 000009
【図９】
0005442946.tif 000010